(57)【要約】【課題】封印作業や封印の解除作業を工具なしで簡易に行うことができ、封印線にダメージを与えることなく強い固定力を得ることが可能な封印具を提供する。【解決手段】封印線３及び該封印線を固定する封印部２とを有する封印具１において、封印部２を、封印線３を通す縦貫通孔７及び該縦貫通孔７と垂直に交差するロックピン貫通孔８とが形成された第１の封印部４と、封印線３の一端が固定され、ロックピン貫通孔８に挿通される一対のロックピン９が設けられた第２の封印部５と、これらの封印部４，５を連結する連結部６とによって構成する。封印線３は、第２の封印部５との接続部分が狭小に形成され、縦貫通孔７を挿通させる範囲に所定の間隔で複数の球状膨出部１３が形成され、この球状膨出部１３の大きさを一対のロックピン９の間隔よりも大きくする。【選択図】  図６
2012132787.tif 000002
【特許請求の範囲】
【請求項１】
電力量計等の取引用計器類を封印する封印線及び前記封印線を固定する封印部によって構成される封印具において、
前記封印部は、前記封印線を通す縦貫通孔及び該縦貫通孔と垂直に交差するロックピン貫通孔とが形成された第１の封印部と、前記封印線の一端が固定され、前記ロックピン貫通孔に挿通される一対のロックピンが設けられた第２の封印部と、前記第１の封印部及び前記第２の封印部の間を連結する連結部とによって構成され、
前記封印線は、前記第２の封印部との接続部分が狭小に形成され、前記縦貫通孔を挿通させる範囲に所定の間隔で複数の球状膨出部が形成され、該球状膨出部の大きさが前記一対のロックピンの間隔よりも大きいことを特徴とする封印具。
【請求項２】
前記ロックピンのそれぞれの先端には、前記ロックピン貫通孔の周縁に係止する返し部が形成されていることを特徴とする請求項１記載の封印具。
【請求項３】
前記ロックピン貫通孔の内部には、前記ロックピンの抜けを防止する返し部が形成されていることを特徴とする請求項１又は２記載の封印具。
【請求項４】
前記第１の封印部及び前記第２の封印部の互いに対面する側とは反対側の側面に、指をあてがう凹部が形成されていることを特徴とする請求項１〜３のいずれかに記載の封印具。
【発明の詳細な説明】
【技術分野】
【０００１】
本発明は、電力量計等の取引用計器類を保護する計器ボックスの封印を行う封印具に関する。
【背景技術】
【０００２】
現在、電力量計の封印をする場合、封印具に封印線を通し、ペンチで封印具を圧縮して封印をする方法が多用されている。このため、封印具、封印線、ペンチが揃っていなければ封印作業ができないという問題点があった。また、封印具の穴に、封印線を２回通さなければならないため封印作業が面倒であること、封印後の余った封印線を誤って落とすと景観を損ねること、狭い作業場所では作業がやりにくいこと等の問題点があった。そこで、従来においては、下記する特許文献１〜３の封印具が提案されている。
【０００３】
このうち、特許文献１に開示される電力量計の封印具は、線材と、挿着孔を備えた線材係着部と、被ロック部と、線材係着部に貫通形成されたネジ付き穴と、ネジ付き穴内に螺着したボルト部と、該ボルト部の外側端部に連設された操作部とを備え、ボルト部は、操作部を押し込み方向へ回転させたときに一体回転してネジ付き穴内を内部へ向けて前進して挿着孔内へセンタ部を突出させることにより、被ロック部の挿着孔からの抜き取り（逆戻り）を阻止するように構成され、操作部ボルト部との連結部には、ボルト部の回転を停止した状態で操作部に一定以上のトルクが加わった場合に破断してボルト部から操作部を分離する破断部が設けられているものである。
【０００４】
特許文献２に開示される封印具は、開閉自在な計器ボックスを閉じた状態に維持する封印ネジのネジ頭部に嵌める封印ネジ嵌合体と、封印ネジ嵌合体に係止し且つネジ頭部の側面にある差孔に差し込む差込体とから構成され、封印ネジが、計器ボックスの張り出したフランジを、正面側から背面側に向けて水平方向に貫き、差孔に対して差込体の差込ピンが挿通することで、封印具がネジ頭部からの非破壊による抜け出しを不能とするものである。
【０００５】
特許文献３に開示される封印具は、同一の素材で形成された封印具本体と封印線とを有して構成され、封印線が自在な方向に曲がる可撓性を有する線状体であると共に抜け防止のための突起部を有し、封印具本体が、封印線の長手方向の一方側端部が連結部にて一体不可分に連結されていると共にこの封印線が挿通可能な貫通孔を有し、この貫通孔の一方側を封印本体のうち封印線が連結された側と同じ側に開口するようにし、また、封印具本体を複数の構成部品により構成し、これらの構成部品同士が対峙する面に溝部を形成し、この溝部の途中に封印線に形成された突起部を係合させ、封印線の貫通孔からの抜けを防止するようにしたものである。
【先行技術文献】
【特許文献】
【０００６】
【特許文献１】特開２００７−７８４９４号公報
【特許文献２】特開２００８−２４９３７８号公報
【特許文献３】特開２００９−２１７０６８号公報
【発明の概要】
【発明が解決しようとする課題】
【０００７】
しかしながら、特許文献１では、ボルト部をねじ込んでいくと、線材に到達してこれを固定するが、誤って強くねじ込んだ場合に、線材が切断されて固定できなくなるという不具合が生じる。
【０００８】
また、特許文献２は封印ネジを操作できないようにするものであり、封印用のネジや、ネジを回すためのドライバーが必要であり、さらに封印ネジ嵌合体と差込体とが分離された別体で形成されているため、作業が複雑になるという不具合が生じる。
【０００９】
さらに、特許文献３に開示される封印具は、封印線を封印具本体の溝部に挟み込みようにして固定し、また溝部には、封印線の突起を固定する部分が形成されており、これによって封印線の抜けを防止するものであるが、封印具本体の一方の固定箇所である連結部と、他方の固定箇所である係合突起と係合溝との間に距離があり、また、溝部が複数の構成部材同士を合わせて構成されるため、挟持力が弱いという問題点がある。
【００１０】
本発明は、係る事情に鑑みてなされたものであり、封印作業や封印の解除作業を工具なしで簡易に行うことができると共に、封印線にダメージを与えることなく強い固定力を得ることが可能な封印具を提供することを主たる課題としている。
【課題を解決するための手段】
【００１１】
上記課題を達成するために、本発明に係る封印具は、電力量計等の取引用計器類を封印する封印線及び前記封印線を固定する封印部によって構成されるものであって、前記封印部は、前記封印線を通す縦貫通孔及び該縦貫通孔と垂直に交差するロックピン貫通孔とが形成された第１の封印部と、前記封印線の一端が固定され、前記ロックピン貫通孔に挿通される一対のロックピンが設けられた第２の封印部と、前記第１の封印部及び前記第２の封印部の間を連結する連結部とによって構成され、前記封印線は、前記第２の封印部との接続部分が狭小に形成され、前記縦貫通孔を挿通させる範囲に所定の間隔で複数の球状膨出部が形成され、該球状膨出部の大きさが前記一対のロックピンの間隔よりも大きいことを特徴としている。
【００１２】
したがって、このような封印具を用いて電力量計等の取引用計器類を封印するには、封印線を封印箇所に通過させた後、第１の封印部を連結部を中心として回動させて封印線の先端を第１の封印部の縦貫通孔に貫通させ、第２の封印具のロックピンを第１の封印具のロックピン貫通孔に貫通させる。これによって、一対のロックピンで封印線が挟持され、また、一対のロックピンの間隔よりも大きい封印線の球状膨出部がこのロックピンによって抜けないように保持される。
【００１３】
また、封印線は、第２の封印部に固定される部分が狭小に形成されているので、この部分で容易に切断可能となり、封印の解除を工具無しで行うことが可能となる。尚、封印線自体も、途中から工具なしで切断できるようにするために、例えば所定の間隔で形成された複数の球状膨出部の隣り合う球状膨出部間に狭小部分を形成するようにしてもよい。
【００１４】
さらに、ロックピンのそれぞれの先端に、ロックピン貫通孔の周縁に引っかかる（係止する）返し部を形成することが望ましく、また、これに代えて、又は、これと共にロックピン貫通孔の内部に、ロックピンの抜けを防止する返し部を形成してもよい。このような構成の採用により、ロックピンの抜けを確実に防止することが可能となる。
【００１５】
さらにまた、封印作業を容易にするために、前記第１の封印部及び前記第２の封印部の互いに対面する側とは反対側の側面に、指をあてがう凹部を形成するようにしてもよい。
【発明の効果】
【００１６】
以上述べたように、本発明によれば、第１の封印部に封印線を差し込むと共に、第２の封印部のロックピンで封印線を固定する構造であるため、工具を使用しなくても、封印作業を容易に行うことが可能となる。また、一対のロックピンの間隔は、封印線の幅よりも大きく、また封印線の球状膨出部よりも小さいため、封印線は、ロックピンによって確実に抜けを防止することが可能となる。さらに、封印線は第２の封印部に固定される部分が狭小に形成されているので、封印の解除作業も容易に行うことが可能となる。
【００１７】
また、ロックピンの先端に、ロックピン貫通孔の周縁に係止する返し部を設けたり、ロックピン貫通孔の内部に、ロックピンの抜けを防止する返し部を形成したりすることで、ロックピンの抜けを確実に防止することが可能となる。
さらに、第１の封印部と第２の封印部との互いに対面する側とは反対側の側面に、指をあてがう凹部を形成することで、封印作業を容易に行うことが可能となる。
【図面の簡単な説明】
【００１８】
【図１】図１は、本発明の実施例１に係る封印具を示す側面図である。
【図２】図２は、本発明の実施例１に係る封印具を示す正面図である。
【図３】図３は、本発明の実施例１に係る封印具を示す斜視図である。
【図４】図４は、本発明の実施例１に係る封印具の第１の封印部を示し、（ａ）はその平面図、（ｂ）はその正面図である。
【図５】図５は、本発明の実施例１に係る封印具の第２の封印部を示す平面図である。
【図６】図６は、本発明の実施例１に係る封印具が封印した状態を示す斜視図である。
【図７】図７は、本発明の実施例１において、第２の封印部のロックピンが封印線をロックした状態を示す説明図である。
【図８】図８は、本発明の実施例２に係る封印具を説明する平面図である。
【図９】図９は、本発明の実施例３に係る封印具を説明する平面図である。
【発明を実施するための最良の形態】
【００１９】
以下、本発明に係る封印具の実施形態を図面を参照しながら説明する。
【実施例１】
【００２０】
図１乃至図３に示すように、本発明の実施例１に係る封印具１は、封印線３とこの封印線３を固定する封印部２とによって構成されている。
【００２１】
先ず、封印部２について説明すると、封印部２は、第１の封印部４と第２の封印部５とによって構成され、これら第１の封印部４と第２の封印部５とは連結部６によって連結されている。
【００２２】
第１の封印部４は、図４にも示されるように、直方体形状に形成されているもので、封印線３が貫通する縦貫通孔７が上下方向（鉛直方向）に貫通形成され、また、この縦貫通孔７と垂直に交差するようにロックピン貫通孔８が水平方向に貫通形成されている。ロックピン貫通孔８の内面には、内側へ向かって突出する返し部１１が互いに対峙する面に対向配置されている。この例において、縦貫通孔７は、断面円形に形成され、また、ロックピン貫通孔８は、水平方向巾が上下方向巾よりも長く形成された断面矩形状に形成され、前記返し部１１は、ロックピン貫通孔８の一方の開口端近傍において水平方向で対峙するように上下方向に延びる内壁面（巾が短い内壁面）に形成されている。
【００２３】
また、第２の封印部５は、図５にも示されるように、第１の封印部４と同じ大きさの直方体形状に形成されているもので、後述する封印線３の延出方向に対して垂直に延出する一対のロックピン９が一体に形成されている。この一対のロックピン９は、第１の封印部４のロックピン貫通孔８に挿入可能に形成されているもので、その先端には、ロックピン貫通孔８の開口縁部に係止する返し部１５が外側へ突出するように形成されている。また、一対のロックピン９，９が形成される面の反対側の面には、取り替え札をぶら下げるために輪部１０が一体に設けられている。
【００２４】
そして、第１の封印部４と第２の封印部５とは、一対のロックピン９がロックピン貫通孔８に挿入可能となるように、第２の封印部５のロックピン９が形成されている端面の長手方向に沿って延びる側縁の一方と、第１の封印部４のロックピン貫通孔８が形成され、且つ、返し部１１から遠い側の端面の長手方向に沿って延びる側縁の一方とが帯状の可撓性を有する連結部６により連結されている。尚、この例において、連結部６は、第１の封印部４と第２の封印部５とを畳み合わせ易くするよう、曲げる側と反対側へ湾曲形成されている。
【００２５】
封印線３は、自由な方向に曲がる可撓性を有する線状体で構成されているもので、前記第２の封印部５の第１の封印部４が連結されている側とは反対側の側面から延出し、その側面との接続部分に狭小部１２が形成されている。この狭小部１２は、工具なしでも切断できるように、封印線３の幅よりも狭く（封印線３の径よりも小さく）形成されている。また、封印線３の先端部１４は、漸次細くなるように形成され、前記縦貫通孔７に挿入しやすい構造となっている。さらに、封印線３の縦貫通孔７に挿通させる範囲（先端部１４から所定の範囲）に球状に膨出形成された球状膨出部１３が所定の間隔で等間隔に複数形成され、また、所定の隣合う球状膨出部１３間に、封印線３の径よりも小さい径に形成された狭小部１６が形成されている。
【００２６】
前記一対のロックピン９，９の間隔は、図５で示すように、封印線３の大きさ（径の大きさ）にほぼ等しいか、封印線３の大きさよりも僅かに大きく（封印線３の大きさ（径の大きさ）よりも大きく、且つ、球状膨出部１３の大きさ（径の大きさ）よりも小さく）設定されている。
【００２７】
以上の構成により、封印作業を行う場合には、図６で示すように、前記封印線３を電力量計等の封印孔２０に通して折り曲げると共に、第１の封印部４と第２の封印部５とを連結部６を中心として重ね合わせるように回動させて近接させ、封印線３の先端部１４を第１の封印部４の縦貫通孔７に挿入して貫通させ、第２の封印部５のロックピン９，９をロックピン貫通孔８に挿入し、第１の封印部４及び第２の封印部５を指で挟んで互いに当接させることで、ロックピン９，９を第１の封印部４のロックピン貫通孔８から突出させ、ロックピン９，９の返し部１５をロックピン貫通孔８の側縁部に係止させる。
【００２８】
図７で示すように、一対のロックピン９，９の間隔は、封印線３の径にほぼ等しいか僅かに大きいため、ロックピン９，９は封印線３を挟み込むようにロックピン貫通孔８を貫通し、しかも、ロックピン貫通孔８の内部側面に形成された返し部１１，１１によって、ロックピン９，９の抜けはさらに確実に防止される。また、封印線３の球状膨出部１３はロックピン９，９の間隔よりも大きいため、封印線３はロックピン９，９によって球状膨出部１３の移動が阻止され、封印線３は封印部２に確実に保持固定されることとなる。
【００２９】
このように、封印具１において、封印線３は封印部２に強固に保持固定されて電力量計等の封印を行うことが可能となる。また、封印線３の先端部分に余剰がある場合には、余剰部分をペンチ等によって切断するようにしても良いが、球状膨出部１３，１３間に形成された狭小部１６を手によって切断すればよい。
【００３０】
また、封印を解除する作業においては、前記狭小部１２をペンチ等で切断しても良いが、狭小部１２は、手でも簡単に切断できるように径が小さく形成されているため、第２の封印部５を捻ることで封印線３を分離させればよい。
【実施例２】
【００３１】
図８に、本発明の実施例２に係る封印具１の封印部２が示されている。この例においては、第１の封印部４及び第２の封印部５の互いに対面する側とは反対側の側面（各封印部４，５の外側に位置する側面）に、指で持ちやすいように、指をあてがう凹部３０，３１が形成されている点で前記実施例と異なる。尚、他の構成は、前記実施例と同様であるので、同一箇所に同一符号を付して説明を省略する。
【００３２】
したがって、このような構成によれば、第１の封印部４及び第２の封印部５を摘んでロックピン９，９をロックピン貫通孔８に押し込む動作が容易となるので、封印作業を容易に行うことが可能となる。
【実施例３】
【００３３】
図９に、本発明の実施例３に係る封印具１の封印部２が示されている。この例においては、第２の封印部５側に、親指をあてがう大きな第１の凹部３２が形成され、また、第１の封印部４側に、両角部に人差し指と中指をあてがう第２及び第３の凹部３３，３４が形成されている。尚、他の構成は、前記実施例と同様であるので、同一箇所に同一符号を付して説明を省略する。
【００３４】
したがって、このような構成によれば、第１の凹部３２に親指、第２の凹部３３に人差し指、第３の凹部３４に中指をかけて、第２の封印部５を第１の封印部４に押し付けることができるので、容易にロックピン９，９をロックピン貫通孔８に押し込みことが可能となり、封印作業を容易に行うことが可能となる。
【符号の説明】
【００３５】
１  封印具
２  封印部
３  封印線
４  第１の封印部
５  第２の封印部
６  連結部
７  縦貫通孔
８  ロックピン貫通孔
９  ロックピン
１０  輪部
１１  返し部
１２  狭小部
１３  球状膨出部
１４  先端部
１５  返し部
１６  狭小部
２０  封印孔
３０，３１  凹部
３２  第１の凹部
３３  第２の凹部
３４  第３の凹部  
【図１】
2012132787.tif 000003
【図２】
2012132787.tif 000004
【図３】
2012132787.tif 000005
【図４】
2012132787.tif 000006
【図５】
2012132787.tif 000007
【図６】
2012132787.tif 000008
【図７】
2012132787.tif 000009
【図８】
2012132787.tif 000010
【図９】
2012132787.tif 000011